(57)【要約】  【課題】  乾燥時よりも湿潤時の方が香りが強く香る繊維製品に仕上げる事ができる繊維製品処理剤組成物の提供。  【解決手段】  （ａ）分子内にＣ6-16の香気性アルコール由来の炭化水素基を少なくとも１つ有するケイ素化合物を２種以上含有し、ケイ素原子に結合している全置換基中（但し、酸素原子を介して隣り合うケイ素原子は除く）のＣ6-16の香気性アルコール由来の炭化水素基を有する置換基の割合が、50モル％より大きく98モル％以下であるケイ素化合物群を含有する繊維製品処理剤組成物、この繊維製品処理剤組成物を処理した後に再び水と接触する繊維製品であって、水と接触した時の香りが水と接触する前の香りよりも強く香る繊維製品、並びにこの繊維製品処理剤組成物で処理された繊維製品に水を接触させることで、水との接触前よりも香りを強く感じさせる繊維製品の使用方法。【選択図】  なし【特許請求の範囲】
【請求項１】
下記（ａ）成分を含有する繊維製品処理剤組成物。
（ａ）成分：分子内に炭素数６〜１６の香気性アルコール由来の炭化水素基を少なくとも１つ有するケイ素化合物を２種以上含有するケイ素化合物群であって、このケイ素化合物群中のケイ素原子に結合している全置換基中（但し、酸素原子を介して隣り合うケイ素原子は除く）の炭素数６〜１６の香気性アルコール由来の炭化水素基を有する置換基の割合が、５０モル％より大きく９８モル％以下であるケイ素化合物群。
【請求項２】
（ａ）成分のケイ素化合物群が、下記一般式（１）で表されるケイ素化合物を含有し、ケイ素化合物群中に含有される全てのケイ素化合物中のＲ1基のモル数及びＲ2基のモル数の和と、Ｒ3基のモル数の比が、（Ｒ3基のモル数）／（Ｒ1基のモル数＋Ｒ2基のモル数）＝１／１より大きく９８／２以下である、請求項１記載の繊維製品処理剤組成物。
【化１】
2010133073.tif 000014
〔式中、Ｘはそれぞれ独立に、Ｒ1基、ＯＲ2基、ＯＲ3基又はＯＨ基であり、Ｙはそれぞれ独立に、Ｘ、−Ｏ−Ｓｉ(Ｘ)3基又はＯＨ基であり、Ｒ1基は置換基としてフェニル基、水酸基又はアルコキシ基を有していても良い炭素数１〜２２の炭化水素基、Ｒ2は炭素数１〜４の炭化水素基、Ｒ3は炭素数６〜１６の香気性アルコールから水酸基を除いた残基であり、ｎは０〜１５の数であり、ｎが０より大きい場合には平均値を示す。但し、分子中にＯＲ3基を少なくとも一つ有する。〕
【請求項３】
更に、（ｂ）成分として、分子内に炭素数８〜３６の炭化水素基を有し、炭素数２〜４のアルキレンオキシドを平均２〜２００モル付加した非イオン界面活性剤を含有する請求項１又は２記載の繊維製品処理剤組成物。
【請求項４】
更に、（ｃ）成分として、分子内にエステル基又はアミド基で分断された総炭素数１２〜２８の炭化水素基を少なくとも１個有する第３級アミン、その酸塩又はその４級化物から選ばれる陽イオン界面活性剤を、（ｃ）成分／（ａ）成分の質量比が１／２〜１５０／１となる割合で含有する、請求項１〜３いずれかに記載の繊維製品処理剤組成物。
【請求項５】
（ｃ）成分が、一般式（２）で表される第３級アミン、その酸塩又はその４級化物から選ばれる少なくとも１種である請求項４記載の繊維製品処理剤組成物。
【化２】
2010133073.tif 000015
〔式中、Ｒa1基は、エステル基又はアミド基で分断された総炭素数１２〜２８の炭化水素基であり、Ｒa2基及びＲa3基はそれぞれ独立に、Ｒa1基、炭素数１〜３のアルキル基、及び炭素数１〜３のヒドロキシアルキル基から選ばれる基である。〕
【請求項６】
組成物中の（ａ）成分の含有量が０．１〜６質量％、（ｂ）成分の含有量が０．１〜８質量％、（ｃ）成分の含有量が３〜３０質量％である、請求項４又は５に記載の繊維製品処理剤組成物。
【請求項７】
（ｄ）成分として、炭素数１２〜２４の脂肪酸、その塩又はその低級アルキル（アルキル基の炭素数１〜４）エステル、及び炭素数１２〜３６の１価アルコールから選ばれる少なくとも１種を、（ａ）成分と（ｄ）成分との質量比が（ａ）成分／（ｄ）成分＝１／１５〜１２／１となる割合で含有する請求項１〜６いずれかに記載の繊維製品処理剤組成物。
【請求項８】
請求項１〜７いずれかに記載の繊維製品処理剤組成物を処理した繊維製品で、処理後に再び水と接触する繊維製品であって、水と接触した時の香りが、水と接触する前の香りよりも強く香る、繊維製品。
【請求項９】
請求項１〜８いずれかに記載の繊維製品処理剤組成物で処理された繊維製品に水を接触させることで、水との接触前よりも香りを強く感じさせる、繊維製品の使用方法。
【発明の詳細な説明】
【技術分野】
【０００１】
本発明は、繊維製品処理剤組成物、その繊維製品処理剤組成物を処理した繊維製品、及びその繊維製品の使用方法に関する。
【背景技術】
【０００２】
繊維製品に香りを付与する方法として、香料を含有する組成物を用いて、水又は有機溶媒を介して繊維製品を処理する方法が挙げられる。しかしながら、通常、繊維製品に付与された香料は、乾燥時に溶媒と共に揮散したり、乾燥後から経時で香料が布上から揮散することで、布から発する香りが弱くなっていく。近年香りに対する意識の高まりから、衣料用洗浄剤や仕上げ剤などの繊維製品処理剤組成物に持続性のある香料を用いて、洗濯〜乾燥終了後にも繊維製品に香りが持続する、或いは衣料の着用時にまで香りが持続し、発汗や水分の付与等によって香りが増加する技術の開発が望まれている。例えば、衣料の様々な使用場面において、発汗し衣服が湿潤するような運動を行う時、運動時又は運動直後での疲労感、又は発汗に伴い濡れた衣服が肌に張り付くなどの不快感を感じるような場面で、疲労感や不快感を和らげる為に香りが香ることが求められたり、洗面所には手や顔を洗った後に水を拭き取る為にタオルが置かれているが、長時間使用しつづけると体臭、汗の匂い、汚れの匂いなどの異臭が発生し、特に濡れた顔を拭く場面で不快に感じる為、その改善が強く求められている。これらの要求に対応する技術の開発が行われているが、例えば、特許文献１には特定の持続性香料組成物を含有し、布地上の香料の寿命を改善する布地軟化組成物が開示されている。特許文献２には特定の持続性香料組成物を含有し、洗濯物上で香料の改善した持続性を発揮する布帛柔軟剤組成物が開示されている。一方、特定のケイ素化合物を用いて、香りの持続性を付与する技術、衣類の風合いを改善する技術が開示されている。特許文献３には特定のケイ素化合物、及び脂肪アルキル第４級アンモニウム化合物を含有し、編織物に長期間持続する香気を付与する編織物コンディショナー組成物、特許文献４には特定のケイ素化合物を含有し、編織物に長期間持続する香気を付与する芳香付与成分を含有する、洗浄剤組成物が開示されている。特許文献５には耐加水分解性に優れた特定のケイ酸エステルを含むケイ酸エステル混合物、及びそれらを含有する組成物が開示されている。特許文献６には香気発散に持続性を与え、長寿命の香料原料として有用なアルケニルオキシ基を有するシラン誘導体が開示されている。特許文献７には、陽イオン界面活性剤と特定のアルコキシシランを含有し、繊維製品に柔軟効果を付与し、吸水性を改善できる柔軟剤組成物が開示されている。
【０００３】
また、近年、洗濯機の節水化や洗濯物の過度の詰め込み等により、すすぎ工程における、すすぎ水中の洗剤成分の残留量が増えている。
【先行技術文献】
【特許文献】
【０００４】
【特許文献１】特表平１１−５０４９９４号公報
【特許文献２】特表平１０−５０７７９３号公報
【特許文献３】特開昭５４−５９４９８号公報
【特許文献４】特開昭５４−９３００６号公報
【特許文献５】特表２００３−５２６６４４公報
【特許文献６】特開昭５８−９０５９３号公報
【特許文献７】特開２００７−１７７３３７号公報
【発明の概要】
【発明が解決しようとする課題】
【０００５】
特許文献１及び２に開示されている技術は布地上の香料寿命を改善するものであり、香りの強さは、処理直後から経時で減少することには変わりはない。特許文献３〜特許文献７には、本発明と同様の構造のケイ素化合物、及びケイ素化合物を含有する組成物が開示されているが、乾燥時よりも湿潤時に強く香らせる使用方法の示唆は無い。
【０００６】
本発明の課題は、乾燥時よりも湿潤時の方が香りが強く香る繊維製品に仕上げる事ができる繊維製品処理剤組成物、及びその繊維製品処理剤組成物により処理された繊維製品、並びにその繊維製品の使用方法を提供することにある。
【課題を解決するための手段】
【０００７】
本発明は、下記（ａ）成分を含有する繊維製品処理剤組成物、この繊維製品処理剤組成物を処理した繊維製品で、処理後に再び水と接触する繊維製品であって、水と接触した時の香りが、水と接触する前の香りよりも強く香る繊維製品、並びにこの繊維製品処理剤組成物で処理された繊維製品に水を接触させることで、水との接触前よりも香りを強く感じさせる、繊維製品の使用方法を提供する。
【０００８】
（ａ）成分：分子内に炭素数６〜１６の香気性アルコール由来の炭化水素基を少なくとも１つ有するケイ素化合物を２種以上含有するケイ素化合物群であって、このケイ素化合物群中のケイ素原子に結合している全置換基中（但し、酸素原子を介して隣り合うケイ素原子は除く）の炭素数６〜１６の香気性アルコール由来の炭化水素基を有する置換基の割合が、５０モル％より大きく９８モル％以下であるケイ素化合物群。
【発明の効果】
【０００９】
本発明の繊維製品処理剤組成物によれば、乾燥時よりも水と接触した時に香りが強く香る特徴を繊維製品に付与することができ、本発明により、乾燥時よりも水と接触した時に香りが強く香る繊維製品を提供することができる。また、乾燥時よりも水と接触させた時に香りを強く香らせる繊維製品の使用方法を提供することができる。
【発明を実施するための形態】
【００１０】
［（ａ）成分］
本発明の（ａ）成分は、分子内に炭素数６〜１６の香気性アルコール由来、好ましくは好ましくは炭素数６〜１６の香料アルコール由来の炭化水素基を少なくとも１つ有するケイ素化合物を２種以上含有するケイ素化合物群である。
【００１１】
このケイ素化合物群中のケイ素原子に結合している全置換基中（但し、酸素原子を介して隣り合うケイ素原子は除く）の炭素数６〜１６の香気性アルコール由来、好ましくは炭素数６〜１６の香料アルコール由来の炭化水素基を有する置換基の割合は、本発明の効果を得る観点から、５０モル％より大きく、５５モル％以上が好ましく、６５モル％以上がより好ましく、７５モル％以上が更に好ましい。また、製造の容易性の観点から、９８モル％以下であり、９５モル％以下が好ましい。尚、炭素数６〜１６の香気性アルコール由来の炭化水素基（残基）とは、炭素数６〜１６の香気性アルコールから水酸基を一つ除いた残基を示し、炭素数６〜１６の香料アルコール由来の炭化水素基（残基）とは、炭素数６〜１６の香料アルコールから水酸基を一つ除いた残基を示す。
【００１２】
本発明の（ａ）成分のケイ素化合物群は、下記一般式（１）で表されるケイ素化合物から構成されることが好ましく、ケイ素化合物群中に含有される全てのケイ素化合物中のＲ1基のモル数及びＲ2基のモル数の和と、Ｒ3基のモル数の比が、（Ｒ3基のモル数）／（Ｒ1基のモル数＋Ｒ2基のモル数）＝１／１より大きく９８／２以下であることがより好ましい。
【００１３】
【化１】
2010133073.tif 000002
【００１４】
〔式中、Ｘはそれぞれ独立に、Ｒ1基、ＯＲ2基、ＯＲ3基又はＯＨ基であり、Ｙはそれぞれ独立に、Ｘ、−Ｏ−Ｓｉ(Ｘ)3基又はＯＨ基であり、Ｒ1基は置換基としてフェニル基、水酸基又はアルコキシ基を有していても良い炭素数１〜２２の炭化水素基、Ｒ2は炭素数１〜４の炭化水素基、Ｒ3は炭素数６〜１６の香気性アルコールから水酸基を除いた残基、好ましくは炭素数６〜１６の香料アルコールから水酸基を一つ除いた残基であり、ｎは０〜１５の数であり、ｎが０より大きい場合には平均値を示す。但し、分子中にＯＲ3基を少なくとも一つ有する。〕
【００１５】
上記一般式（１）において、好ましいＲ1基は炭素数１〜１８の炭化水素基であり、より好ましくは炭素数１〜８の炭化水素基であり、最も好ましくは炭素数１又は２のアルキル基である。好ましいＲ2基は炭素数１〜３のアルキル基、より好ましくは炭素数１又は２のアルキル基である。また、好ましいＲ3基は直鎖の飽和炭化水素基を除いた、炭素数６〜１６の炭化水素基、より好ましくは炭素数６〜１５の炭化水素基であり、更に好ましくは炭素数６〜１３の炭化水素基である。前記の好ましいＲ３基の炭化水素基とは香料アルコールから水酸基を一つ除いた残基を示す。また、一般式（１）において分子内に複数存在するＲ３基は、それぞれ同一であっても良く、異なっていても良い。
【００１６】
本発明の繊維製品処理剤組成物中に含有される（ａ）成分のケイ素化合物群中に含有される全てのケイ素化合物中のＲ1基のモル数及びＲ2基のモル数の和と、Ｒ3基のモル数の比、（Ｒ3基のモル数）／（Ｒ1基のモル数＋Ｒ2基のモル数）は、本発明の効果を得る観点から、好ましくは１／１より大きく、より好ましくは５５／４５以上、更に好ましくは６５／３５以上、最も好ましくは７５／２５以上である。また、製造の容易性の点から、９８／２以下であることが好ましく、９５／５以下がより好ましい。
【００１７】
なお、（ａ）成分中のＲ1基のモル数及びＲ2基のモル数の和と、Ｒ3基のモル数の比（Ｒ3基のモル数）／（Ｒ1基のモル数＋Ｒ2基のモル数）は、各基のモル数をＮＭＲで測定し、算出することができる。
【００１８】
一般式（１）で表されるケイ素化合物としては、下記一般式（１−１）、（１−２）又は（１−３）で表されるケイ素化合物が好ましく、一般式（１−１）で表されるケイ素化合物がより好ましい。
【００１９】
Ｓｉ（Ｒ1）p（ＯＲ2）q（ＯＲ3）4-p-q （１−１）
［式中、Ｒ1、Ｒ2及びＲ3は前記の意味を示し、ｐ及びｑはそれぞれ０〜３の数であり、かつｐ＋ｑ＝０〜３の数である。］
【００２０】
【化２】
2010133073.tif 000003
【００２１】
［式中、Ｒ2及びＲ3は前記の意味を示し、ＴはＲ2またはＲ3であり、ｎ１＋ｎ２＋ｎ３は２〜１６である。また、ｎ１、ｎ２及びｎ３の数で表される各置換ケイ素基は分子内のいずれの位置にあっても良い。また、分子内にＲ3を少なくとも一つ有する。］
【００２２】
【化３】
2010133073.tif 000004
【００２３】
［式中、Ｚはメチル基またはＯＴ基であり、Ｔは前記の意味を示し、少なくとも一つはＲ3であり、Ｒ3は前記の意味を示し、ｎ１＋ｎ２＋ｎ３は２〜１６である。また、ｎ１、ｎ２及びｎ３の数で表されるそれぞれの置換ケイ素基は分子内のいずれの位置にあっても良い。］
【００２４】
Ｒ3基として好ましい基は、炭素数６〜１５の香気性アルコールから水酸基を除いた残基（但し、直鎖の飽和炭化水素基を除く）、好ましくは炭素数６〜１５の香料アルコールから水酸基を一つ除いた残基であり、さらに好ましくは炭素数６〜１３の香気性アルコールから水酸基を除いた残基、より好ましくは炭素数６〜１３の香料アルコールから水酸基を一つ除いた残基である。
【００２５】
香気性アルコールとしては、脂肪族アルコール、テルペン系アルコール、セスキテルペン系アルコール、脂環式アルコール、芳香族アルコール又は合成サンダルから選ばれる香料アルコールが挙げられ、具体的には、以下のアルコールが挙げられる。
【００２６】
＜炭素数６のアルコール＞
トランス−２−ヘキセノール、シス−３−ヘキセノール
＜炭素数７のアルコール＞
ベンジルアルコール
＜炭素数８のアルコール＞
３−オクタノール、１−オクテンー３−オール、２−フェニルエチルアルコール、１−フェニルエチルアルコール、４−メトキシベンジルアルコール、３−ヒドロキシ−５−メトキシトルエン
＜炭素数９のアルコール＞
２，４−ジメチル−２−ヘプタノール、トランス−２−シス−６−ノナジエノール、２，４−ジメチル−３−シクロヘキセン−１−メタノール、４−イソプロピルシクロヘキサノール、３−フェニル−２−プロペン−１−オール、３−フェニルプロピルアルコール
＜炭素数１０のアルコール＞
９−デセノール、３，７−ジメチル−１，６−オクタジエン−３−オール、３，７−ジメチル−トランス−２，６−オクタジエン−１−オール、３，７−ジメチル−シス−２，６−オクタジエン−１−オール、３，７−ジメチル−６−オクテン−１−オール、２−メチル−６−メチレン−７−オクテン−２−オール、２−イソプロペニル−５−メチル−４−ヘキセン−１−オール、３，７−ジメチルオクタノール、３，７−ジメチルオクタンー３−オール、２，６−ジメチル−７−オクテン−２−オール、３，７−ジメチル−４，６−オクタジエン−３−オール、ｐ−メンタン−８−オール、１−ｐ−メンテン−４−オール、ｐ−メンタン−３−オール、１，７，７−トリメチル−ビシクロ［１，２，２−］ヘプタン−２−オール、ｐ−メンス−８−エン−３−オール、４−イソプロピルシクロヘキサンメタノール、ｐ−ｔ−ブチルシクロヘキサノール、ｏ−ｔ−ブチルシクロヘキサノール、１−フェニル−２−メチル−２−プロパノール、２−プロピル−５−メチルフェノール、２−メチル−５−イソプロピルフェノール、２−メトキシ−４−アリールフェノール、２−メトキシ−４−（１−プロペニル）−フェノール
＜炭素数１１のアルコール＞
４−メチル−３−デセン−５−オール、１０−ウンデセノール、６，６−ジメチル−ビシクロ−［３，１，１］−２−ヘプテン−２−エタノール、１−（４−イソプロピルシクロヘキシル）−エタノール、４−フェニル−２−メチル−２−ブタノール、５−プロペニル−２−エトキシフェノール
＜炭素数１２のアルコール＞
２，２−ジメチル−３−（３−メチルフェニル）−プロパノール、１−フェニル−３−メチル−３−ペンタノール、３−メチル−５−フェニル−１−ペンタノール、３，７−ジメチル−７−メトキシオクタン−２−オール
＜炭素数１３のアルコール＞
２，５，５−トリメチル−１，２，３，４，４α，５，６，７−オクタヒドロ−２−ネフタレノール、２−メチル−４−（２，２，３−トリメチル−３−シクロペンテン−１−イル）−２−ブテン−１−オール、２−メチル−４−（２，２，３−トリメチル−３−シクロペンテン−１−イル）−ブタン−１−オール
＜炭素数１４のアルコール＞
１−（２−ｔ−ブチルシクロヘキシルオキシ）−２−ブタノール、α，β−２，２，６−ペンタメチルシクロヘキシルプロパノール、３−メチル−５−（２，２，３−トリメチル−３−シクロペンテン−１−イル）−ペンタン−２−オール、２−エチル−４−（２，２，３−トリメチル−３−シクロペンテン−１−イル）−２−ブテン−１−オール、３−メチル−５−（２，２，３−トリメチル−３−シクロペンテン−１−イル）−４−ペンテン−２−オール
＜炭素数１５のアルコール＞
３，７，１１−トリメチル−１，６，１０−ドデカトリエン−３−オール、３，７，１１−トリメチル−２，６，１０−ドデカトリエン−１２−オール、（−）−α−ビサボロール、セドロール、パチュリアルコール、ベチベロール、１−（２，２，６−トリメチルシクロヘキシル）−３−ヘキサノール、サンタロール、３，３−ジメチル−５−（２，２，３−トリメチル−３−シクロペンテン−１−イル）−４−ペンテン−２−オール
＜炭素数１６のアルコール＞
イソボニルシクロヘキサノール
【００２７】
これらの香気性アルコールの中では、トランス−２−ヘキセノール、シス−３−ヘキセノール、２−フェニルエチルアルコール、４−メトキシベンジルアルコール、ｐ−メンタン−３−オール、３，７−ジメチル−トランス−２，６−オクタジエン−１−オール、３，７−ジメチル−シス−２，６−オクタジエン−１−オール、４−イソプロピルシクロヘキサンメタノール、３，７−ジメチルオクタノール、３，７−ジメチル−６−オクテン−１−オール、３−メチル−５−フェニル−１−ペンタノール、３−フェニル−２−プロペン−１−オール、３，７，１１−トリメチル−２，６，１０−ドデカトリエン−１２−オール、２−メチル−４−（２，２，３−トリメチル−３−シクロペンテン−１−イル）−２−ブテン−１−オール、２−イソプロペニル−５−メチル−４−ヘキセン−１−オール
が好ましい。
【００２８】
特に好ましくは、シス−３−ヘキセノール、２−フェニルエチルアルコール、２−メチル−４−（２，２，３−トリメチル−３−シクロペンテン−１−イル）−２−ブテン−１−オール、３，７−ジメチル−トランス−２，６−オクタジエン−１−オールである。
【００２９】
上記一般式（１）で表されるケイ素化合物は、下記の方法により合成することができる。また、下記の方法１及び方法２で使用される香気性アルコールは、香料アルコールが好ましい。
【００３０】
方法１：
テトラエトキシシランやアルキルトリエトキシシラン、ジアルキルジエトキシシラン等の炭素数１〜４のアルコキシシラン類とＲ3基を有する香気性アルコールとのエステル交換反応。
【００３１】
方法２：
テトラクロロシランやアルキルトリクロロシラン等のハロゲン化シラン類とＲ3基を有する香気性アルコールとのエステル化反応。
【００３２】
方法１において、エステル交換されるアルコキシ基としては、入手性等の点からメトキシ基又はエトキシ基が好ましく、エトキシ基がより好ましい。
【００３３】
方法１のアルコキシシランとＲ3基を有する香気性アルコールとのエステル交換反応において、アルコキシシランに対して加える香気性アルコールのモル比により置換度が異なる反応物を与え、アルコキシシランのアルコキシ基に対する香気性アルコールのモル比は（香気性アルコール）／（アルコキシシランのアルコキシ基）＝０．５５〜１０が好ましく、０．５５〜５がより好ましく、０．６〜４が更に好ましく、０．７〜３が更により好ましい。
【００３４】
方法１におけるエステル交換反応の反応温度は、アルコキシシラン及び香気性アルコールの沸点以下が好ましく、室温（２０℃）〜２００℃がより好ましく、５０〜１７０℃が更に好ましく、７０〜１５０℃更により好ましく、９０〜１３０℃が特に好ましい。
【００３５】
方法１におけるエステル交換反応は、減圧下で行うことが、反応を速やかに進行させることができる等の点から好ましい。減圧度は反応温度にもよるが、アルコキシシラン及び香気性アルコールの沸点以下で行えばよく、１．３Ｐａ〜常圧（０．１ＭＰａ）が好ましく、１３０Ｐａ〜４０ｋＰａがより好ましく、１．３ｋＰａ〜１３ｋＰａが更に好ましい。反応は反応初期から減圧下で行っても、途中から減圧下で行っても良い。
【００３６】
方法１におけるエステル交換反応は、触媒を添加することが、反応を速やかに進行させることができる等の点から好ましい。触媒としては、水酸化ナトリウム、水酸化カリウム、ナトリウムメトキシド、ナトリウムエトキシド、カリウムメトキシド、カリウムエトキシド等のアルカリ触媒や、アルミニウムテトライソプロポキシド、チタンテトライソプロポキシド等のルイス酸触媒を用いることができる。
【００３７】
方法２のハロゲン化シランにおいて、ハロゲン原子としては、塩素原子、臭素原子、ヨウ素原子等が挙げられ、塩素原子が好ましい。
【００３８】
方法２のハロゲン化シランとＲ3基を有する香気性アルコールとのエステル化反応において、ハロゲン化シランに対して加える香気性アルコールのモル比により置換度が異なる反応物を与え、ハロゲン化シランに対する香気性アルコールのモル比は（香気性アルコール）／（ハロゲン化シランのハロゲン基）＝０．５５〜１０が好ましく、０．５５〜５がより好ましく、０．６〜４更に好ましく、０．７〜３が更により好ましい。
【００３９】
方法２においては反応の進行に伴い酸が副生するため塩基を加えて反応することが好ましい。用いる塩基としては、例えば、トリエチルアミン等の３級アミンやピリジン等が挙げられる。
【００４０】
方法２のエステル化反応では多量の塩副生等の点から、溶媒を用いても良く、反応温度は、基質や溶媒が凝固しない低温で行うこともできる。反応終了後、溶媒を除去する必要がある場合には、各種公知の装置・設備を用いることができ、また脱塩には濾過や抽出、電気透析等、公知の方法を用いることができる。
【００４１】
方法１のエステル交換反応、方法２のエステル化反応で得られる一般式（１）で表されるケイ素化合物は、他の置換度の異なるケイ素化合物との混合物であっても、さらにシロキサンが縮合した鎖状または環状の重・縮合物との混合物であっても良い。また、方法１のエステル交換反応、方法２におけるエステル化反応は、２種以上のＲ3基を有する香気性アルコールを混合して用いても、２種以上のＲ1で示される脂肪族炭化水素基を持つアルコキシシラン又はハロゲン化シランを用いても良い。
【００４２】
［（ｂ）成分］
本発明の繊維製品処理剤組成物は、本発明の効果を更に増強する目的で、（ｂ）成分として、分子内に炭素数８〜３６の炭化水素基を有し、炭素数２〜４のアルキレンオキシドを平均２〜２００モル、好ましくは８〜１５０モル付加した非イオン界面活性剤を含有することが望ましい。
【００４３】
（ｂ）成分としては、下記一般式（３）で表される非イオン界面活性剤が好ましい。
【００４４】
Ｒ31−Ｅ−〔（Ｒ32Ｏ）a−Ｒ33〕b （３）
〔式中、Ｒ31は、炭素数８〜１８、好ましくは８〜１６のアルキル基又はアルケニル基である。Ｒ32は、炭素数２又は３のアルキレン基であり、好ましくはエチレン基である。Ｒ33は、炭素数１〜３のアルキル基又は水素原子である。ａは、２〜１００、好ましくは４〜８０、より好ましくは５〜６０、特に好ましくは８〜５０の数を示す。Ｅは、−Ｏ−、−ＣＯＯ−、−ＣＯＮ＜又は−Ｎ＜であり、Ｅが−Ｏ−又は−ＣＯＯ−の場合ｂは１であり、Ｅが−ＣＯＮ＜又は−Ｎ＜の場合ｂは２である。〕
【００４５】
一般式（３）で表される化合物の具体例として、以下の式（３−１）〜（３−４）で表される化合物を挙げることができる。
【００４６】
Ｒ31−Ｏ−（Ｃ2Ｈ4Ｏ）d−Ｈ （３−１）
〔式中、Ｒ31は前記の意味を示す。ｄは２〜１００、好ましくは１０〜５０の数である。〕
Ｒ31−Ｏ−（Ｃ2Ｈ4Ｏ）e−（Ｃ3Ｈ6Ｏ）f−Ｈ （３−２）
〔式中、Ｒ31は前記の意味を示す。ｅは１〜１００、ｆは１〜１００の数であり、（Ｃ2Ｈ4Ｏ）と（Ｃ3Ｈ6Ｏ）はランダムあるいはブロック付加体であってもよい。〕
【００４７】
【化４】
2010133073.tif 000005
【００４８】
〔式中、Ｒ31は前記の意味を示す。ｇ、ｈ、ｉ及びｊはそれぞれ独立に０〜４０の数であり、ｇ＋ｈ＋ｉ＋ｊは５〜１５０、好ましくは５〜１００の数であり、（Ｃ2Ｈ4Ｏ）と（Ｃ3Ｈ6Ｏ）はランダムあるいはブロック付加体であってもよい。Ｒ34及びＲ35は、それぞれ独立に水素原子又は炭素数１〜３のアルキル基である。〕
【００４９】
［（ｃ）成分］
本発明の繊維製品処理剤組成物は、本発明の効果を更に増強する目的、とりわけ洗剤成分が多い処理浴中で処理された場合の効果を更に増強する目的で、（ｃ）成分として、分子内にエステル基又はアミド基で分断された総炭素数１２〜２８の炭化水素基を少なくとも１個有する第３級アミン、その酸塩又はその４級化物から選ばれる陽イオン界面活性剤を含有することが好ましい。
【００５０】
（ｃ）成分としては、一般式（２）で表される第３級アミン、その酸塩又はその４級化物から選ばれる少なくとも１種が好ましい。
【００５１】
【化５】
2010133073.tif 000006
【００５２】
〔式中、Ｒa1基は、エステル基又はアミド基で分断された総炭素数１２〜２８の炭化水素基であり、Ｒa2基及びＲa3基はそれぞれ独立に、Ｒa1基、炭素数１〜３のアルキル基、及び炭素数１〜３のヒドロキシアルキル基から選ばれる基である。〕
【００５３】
前記一般式（２）において、Ｒa1基としては、下記（ｉ）〜（iii）に示す基が挙げられ、Ｒa2基及びＲa3基としては、それぞれ独立に下記（ｉ）〜（ｖ）に示す基が挙げられる。
（ｉ）エステル基又はアミド基で分断されている総炭素数１２〜２８、好ましくは１４〜２６の飽和炭化水素基
（ii）エステル基又はアミド基で分断されている総炭素数１２〜２８、好ましくは１４〜２６の二重結合を１個以上有する不飽和炭化水素基
（iii）上記基（ｉ）及び基（ii）の混合基
（iv）炭素数１〜３のヒドロキシアルキル基
（ｖ）炭素数１〜３のアルキル基
【００５４】
（ｃ）成分は、脂肪酸又は脂肪酸低級アルキルエステルと、アルカノールアミン又はアミノアルキルアミン等のアミンとを、エステル化反応、アミド化反応、又はエステル交換反応させて得ることができる。上記の好ましい炭化水素組成を有する脂肪酸又は脂肪酸低級アルキルエステルを得るために、通常油脂便覧等で知られているような脂肪酸を用いるだけでは達成できない場合は、不飽和結合への水素添加反応、不飽和結合の異性化反応、または蒸留操作、ボトムカット、トップカットによるアルキル鎖長の調整、あるいは複数の脂肪酸の混合により得ることが出来る。
【００５５】
上記アミノアルキルアミンは分子内に１級アミノ基、２級アミノ基、及び３級アミノ基から選ばれる、少なくとも２種以上のアミノ基を有するアミンが好ましい。またアルカノールアミンは分子内にヒドロキシ基を必須とし、１級〜３級アミノ基を有するアミンが好ましい。より具体的な例として、ジアルキルモノアルカノールアミン（好ましくはジメチルモノエタノールアミンもしくはジメチルモノプロパノールアミン）、モノアルキルジアルカノールアミン（好ましくはメチルジエタノールアミンもしくはメチルジプロパノールアミン）、またはトリアルカノールアミン（好ましくはトリエタノールアミンもしくはトリプロパノールアミン）、またはジ（アミノアルキル）アルキルアミン（例えば、Ｎ−メチル−Ｎ，Ｎ−ジ（３−アミノプロピル）アミン）、ジアルキルアミノアルキルアミン(例えば、Ｎ，Ｎ−ジメチル−Ｎ−（３−アミノプロピル）アミン)、アルキルアミノプロピルモノアルキルアルカノールアミン（好ましくは、Ｎ−メチルーＮ−（２−ヒドロキシエチル）−Ｎ−（３−アミノプロピル）アミン）が挙げられるが、これらに限定されない。特に好ましくはＮ−メチルジエタノールアミン、トリエタノールアミン、Ｎ−メチルーＮ−（２−ヒドロキシエチル）−Ｎ−（３−アミノプロピル）アミン、Ｎ，Ｎ−ジメチル−Ｎ−（３−アミノプロピル）アミン、Ｎ，Ｎ−ジメチル−Ｎ−（２−ヒドロキシエチル）アミンである。
【００５６】
エステル化反応、アミド化反応又はエステル交換反応において、脂肪酸又は脂肪酸低級アルキルエステルと、前記アミンのヒドロキシル基、及び１級〜２級アミノ基の合計モル数とのモル比は、０．５：１〜２：１が好ましく、０．６：１〜２：１がより好ましく、０．７：１〜０．９８：１が特に好ましく、最も好ましくは、０．８：１〜０．９８：１である。
【００５７】
一般式（２）で表される第３級アミンの酸塩としては、無機酸及び有機酸で中和された酸塩が挙げられる。好ましい無機酸は、塩酸、硫酸、リン酸であり、好ましい有機酸は炭素数１〜１０の１価又は多価のカルボン酸、又は炭素数１〜２０の１価又は多価のスルホン酸、又は炭素数６〜３６のアルキル硫酸エステル、又はポリオキシアルキレンアルキル（アルキル基の炭素数６〜３６）硫酸エステルである。より好ましくはメチル硫酸、エチル硫酸、ｐ−トルエンスルホン酸、（ｏ−、ｍ−、ｐ−）キシレンスルホン酸、ベンゼンスルホン酸、ドデシルベンゼンスルホン酸、グリコール酸、クエン酸、安息香酸、サリチル酸、炭素数１２〜３６のアルキル硫酸エステル、又はポリオキシアルキレンアルキル（アルキル基の炭素数１２〜３６）硫酸エステルである。一般式（２）で表される第３級アミンの４級化物としては、一般式（２）で表される第３級アミンを、アルキルハライド、ジアルキル硫酸、アルキレンオキシド等のアルキル化剤で４級化した化合物が挙げられる。アルキルハライドとしてはメチルクロリドが好ましく、ジアルキル硫酸としては、ジメチル硫酸、ジエチル硫酸が好ましく、アルキレンオキシドとしてはエチレンオキシドが好ましい。また、アルキル化剤を用いた４級化反応は、溶媒存在下（例えば、エタノール）でも行うことができるが、合成物の臭い、保存安定性を維持する観点及び／又は不純物の生成を抑える観点から、無溶媒下で行うことも出来る。
【００５８】
［（ｄ）成分］
本発明の繊維製品処理剤組成物は、ポリエステル、ナイロン及びアクリル等の化学繊維に適用する場合には、木綿繊維よりも本発明の効果が弱く感じられるため、本発明の効果を増強する目的で、更に（ｄ）成分として、炭素数１２〜２４の脂肪酸、その塩又はその低級アルキル（アルキル基の炭素数１〜４）エステル、及び炭素数１２〜３６の１価アルコールから選ばれる少なくとも１種を含有することが好ましい。
【００５９】
炭素数１２〜２４の脂肪酸、その塩又はその低級アルキル（アルキル基の炭素数１〜４）エステルの具体例としては、ラウリン酸、ミリスチン酸、パルミチン酸、パルミトレイン酸、ステアリン酸、オレイン酸、リノール酸、リノレン酸、エルカ酸、ベヘニン酸等の炭素数１２〜２４の飽和又は不飽和脂肪酸、又はそのアルカリ金属塩、アルカリ土類金属塩、炭素数２〜８のアルカノールアミン塩又はアルカノールアンモニウム塩、あるいは前記脂肪酸のメチルエステル、エチルエステル、イソプロピルエステル、ｎ−プロピルエステル等が挙げられる。また、炭素数１２〜３６の１価アルコールの具体例としては、ミリスチルアルコール、パルミチルアルコール、ステアリルアルコール、オレイルアルコール、炭素数２４、２８若しくは３６のゲルベアルコール等が挙げられる。
【００６０】
［繊維製品処理剤組成物］
本発明の繊維製品処理剤組成物中の（ａ）成分の含有量は、本発明の効果を得る観点及び経済的観点から、０．１〜６質量％が好ましく、０．２〜３質量％がより好ましく、０．３〜２質量％が更に好ましい。また本発明の繊維製品処理剤組成物中の（ｂ）成分の含有量は、本発明の効果を増強させる観点から、０．１〜８質量％が好ましく、０．１〜７質量％がより好ましい。
【００６１】
本発明の繊維製品処理剤組成物中の（ｃ）成分の含有量は、本発明の効果を増強させる観点から、３〜３０質量％が好ましく、８〜２８質量％がより好ましく、１０〜２５質量％が更に好ましい。また（ａ）成分と（ｃ）成分の質量比は、本発明の効果を増強させる観点から、（ｃ）成分／（ａ）成分＝１／２〜１５０／１が好ましく、１／１〜１４０／１がより好ましく、１／１〜１２０／１が更に好ましい。
【００６２】
本発明の繊維製品処理剤組成物中の（ｄ）成分の含有量は、本発明の効果を増強させる観点から、０．５〜３質量％が好ましく、０．５〜２質量％がより好ましく、０．８〜２質量％が更に好ましい。また、（ａ）成分と（ｄ）成分の質量比は、（ａ）成分／（ｄ）成分＝１／１５〜１２／１が好ましく、１／１５〜４／１がより好ましく、１／１０〜３／１が更に好ましい。
【００６３】
本発明の組成物は、（ｃ）成分が、エステル基又はアミド基で分断された総炭素数１２〜２８の炭化水素基を分子内に１つ有する場合には、（ｅ）成分として、炭素数１０〜３６の炭化水素基を分子内に少なくとも１つ有する陰イオン界面活性剤を含有することが化学繊維の性能を向上させる点で好ましい。（ｅ）成分は分子中に、好ましくは炭素数１０〜２８、特に好ましくは１２〜２８のアルキル基又はアルケニル基と、−ＳＯ3Ｍ基及び／又は−ＯＳＯ3Ｍ基〔Ｍ：対イオン〕を有する陰イオン界面活性剤であり、具体的には上記炭素数を有するアルキルベンゼンスルホン酸、アルキル（又はアルケニル）硫酸、ポリオキシアルキレンアルキル（又はアルケニル）エーテル硫酸、オレフィンスルホン酸、アルカンスルホン酸、α−スルホ脂肪酸、α−スルホ脂肪酸エステル及びこれらの塩が好ましい。これらの中でも特に炭素数１６〜２８のアルキル基又はアルケニル基を有するアルキル（又はアルケニル）硫酸、炭素数１６〜２８のアルキル基又はアルケニル基を有し、エチレンオキシド（以下、ＥＯと表記する）平均付加モル数が１〜６、好ましくは１〜４、特に好ましくは１〜３であるポリオキシエチレンアルキル（又はアルケニル）エーテル硫酸およびこれらの塩から選ばれる１種以上を配合することが好ましい。塩としては、ナトリウム塩、カリウム塩、アンモニウム塩、アルカノールアミン塩が貯蔵安定性の点から良好である。
【００６４】
本発明の組成物中の（ｅ）成分の配合量は、（ｃ）成分と（ｅ）成分のモル比が、（ｃ）成分／（ｅ）成分＝９５／５〜３０／７０となる割合が好ましく、より好ましくは９５／５〜４０／６０、更に好ましくは９５／５〜５０／５０であり、特に好ましくは９５／５〜５５／４５である。
【００６５】
本発明の組成物は、（ｆ）成分として、シリコーン化合物を配合することが出来る。好ましいシリコーン化合物は、２０℃のイオン交換水１リットルに溶解する量が１ｇ以下である水不溶性のシリコーン化合物である。具体的にはジメチルポリシロキサン、４級アンモニウム変性ジメチルポリシロキサン、アミノ変性ジメチルポリシロキサン、アミド変性ジメチルポリシロキサン、エポキシ変性ジメチルポリシロキサン、カルボキシ変性ジメチルポリシロキサン、ポリオキシアルキレン変性ジメチルポリシロキサン、フッ素変性ジメチルポリシロキサン等のシリコーン化合物が挙げられ、ジメチルポリシロキサン、アミノ変性ジメチルポリシロキサン、アミド変性ジメチルポリシロキサン、ポリオキシアルキレン（ポリオキシエチレン及び／又はポリオキシプロピレン、好ましくはポリオキシエチレン）変性ジメチルポリシロキサンから選ばれる１種以上が好ましい。
【００６６】
シリコーン化合物の分子量は、千〜１００万が好ましく、３千〜１００万がより好ましく、５千〜１００万が更に好ましい。また、２５℃における粘度は、２〜１００万ｍｍ2／ｓが好ましく、５００〜１００万ｍｍ2／ｓがより好ましく、１千〜１００万ｍｍ2／ｓが更に好ましい。アミノ変性ジメチルポリシロキサンのアミノ当量（アミノ当量とは窒素原子１個当たりの分子量）は、１，５００〜４０，０００ｇ／ｍｏｌが好ましく、２，５００〜２０，０００ｇ／ｍｏｌがより好ましく、３，０００〜１０，０００ｇ／ｍｏｌが更に好ましい。
【００６７】
本発明の組成物中の（ｆ）成分の含有量は、０．２〜１５質量％が好ましく、０．２〜１０質量％がより好ましく、０．２〜５質量％が更に好ましい。また、（ｃ）成分と（ｆ）成分を併用する場合は、（ｃ）成分／（ｆ）成分の質量比は、６０／１〜１／５０が好ましく、６０／１〜１／２０がより好ましく、５０／１〜１／１０が更に好ましい。
【００６８】
また、本発明の組成物は、（ｇ）成分として香料組成物を（ａ）成分と併用することができる。本発明の組成物中の（ｇ）成分の含有量は、０．１〜３質量％が好ましい。また、（ａ）成分と（ｇ）成分の質量比、（ｇ）成分／（ａ）成分は、５０／１〜１／５０が好ましく、３０／１〜１／１０が更に好ましい。
【００６９】
また、本発明の組成物は、（ｈ）成分として、金属封鎖剤を含有することが、貯蔵安定性の向上の点から好ましい。金属封鎖剤としては、具体的には下記の化合物を挙げることができる。
（１）エタン−１，１−ジホスホン酸、エタン−１，１，２−トリホスホン酸、エタン−１−ヒドロキシ−１，１−ジホスホン酸、エタンヒドロキシ−１，１，２−トリホスホン酸、エタン−１，２−ジカルボキシ−１，２−ジホスホン酸、メタンヒドロキシホスホン酸などのホスホン酸又はこれらの塩（好ましくは、アルカリ金属塩もしくはアルカノールアミン塩）。
（２）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラミン六酢酸、ジエンコル酸、アルキルグリシン−Ｎ，Ｎ−ジ酢酸、アスパラギン酸−Ｎ，Ｎ−ジ酢酸、セリン−Ｎ，Ｎ−ジ酢酸、グルタミン酸二酢酸、エチレンジアミンコハク酸などのアミノポリ酢酸又はこれらの塩（好ましくは、アルカリ金属塩もしくはアルカノールアミン塩）。
【００７０】
これらの中で特に好ましい（ｈ）成分は、貯蔵安定性の向上の点から、エタン−１−ヒドロキシ−１，１−ジホスホン酸、ジエチレントリアミン五酢酸、エチレンジアミン四酢酸である。
【００７１】
本発明の組成物中の（ｈ）成分の含有量は、０．００１〜５質量％が好ましく、０．００１〜１質量％がより好ましく、０．００１〜０．５質量％が更に好ましい。
【００７２】
本発明の組成物は、（ｉ）成分として、ｐＨを調節する目的でｐＨ調整剤を配合することができる。（ｉ）成分としては、塩酸、硫酸などの無機酸、クエン酸、乳酸、グリコール酸、ｐ−トルエンスルホン酸などの有機酸、水酸化ナトリウムなどの無機アルカリが挙げられる。
【００７３】
本発明の繊維製品処理剤組成物のｐＨは、（ａ）成分が組成物中で急速に加水分解するのを防止する観点から、２０℃で２〜８が好ましく、２〜７がより好ましい。
【００７４】
本発明の組成物は、粘度を調整する目的で、（ｊ）成分として無機あるいは有機の電解質を配合する事ができる。無機電解質としては、塩酸、硫酸、りん酸のアルカリ金属又はアルカリ土類金属の塩が好ましく、塩化ナトリウム、塩化カルシウム、塩化マグネシウム、塩化カリウム、硫酸ナトリウム、硫酸マグネシウムがより好ましい。有機電解質としてはグリコール酸、クエン酸、安息香酸、ｐ−トルエンスルホン酸のアルカリ金属、又はアルカリ土類金属の塩が好ましく、グリコール酸ナトリウム、クエン酸ナトリウム、安息香酸ナトリウム、ｐ−トルエンスルホン酸ナトリウムなどがより好ましい。本発明の組成物中の（ｊ）成分の含有量は、０〜５質量％が好ましく、０〜４質量％がより好ましく、０．０００１〜３質量％が更に好ましい。
【００７５】
本発明の組成物は、必要に応じて（ｋ）成分として、溶剤を含有していても良い。溶剤としては、エタノール、イソプロピルアルコール、グリセリン、エチレングリコール、プロピレングリコールから選ばれる溶剤が好ましく、特にエタノールが匂いの点から好ましい。本発明の組成物中の（ｋ）成分の含有量は、０〜２５質量％が好ましく、０．１〜１０質量％がより好ましい。
【００７６】
本発明の組成物は、組成物の匂いや色の安定性を向上させる目的で、（ｌ）成分として、２，６−ジ−ｔｅｒｔ−ブチル−４−メチルフェノール、２，６−ジ−ｔｅｒｔ−ブチル−４−エチルフェノール、及びブチル化ヒドロキシアニソール等から選ばれる１種以上の酸化防止剤を含有することが好ましい。中でも、２，６−ジ−ｔｅｒｔ−ブチル−４−メチルフェノール、２，６−ジ−ｔｅｒｔ−ブチル−４−エチルフェノールが好ましい。本発明の組成物中の（ｌ）成分の含有量は、０．０００１〜０．１質量％が好ましい。
【００７７】
本発明の組成物は、必要に応じて（ｍ）成分として、１，２−ベンゾイソチアゾリン−３−オン、パラベン類等の防腐剤を含有することが好ましい。本発明の組成物中の（ｍ）成分の含有量は、０．０００１〜１質量％が好ましい。
【００７８】
本発明の組成物は、必要に応じて（ｎ）成分として、分子内にスルホン酸基、アミノ基またはその塩を有する色素を含有することが好ましい。色素としては、直接染料、酸性染料、反応染料であって、赤色色素、青色色素、黄色色素、紫色色素から選ばれる１種または２種以上の色素である。より具体的には、カラーインデックス酸性青色９号、カラーインデックス酸性赤色５２号、カラーインデックス酸性黄色３号、カラーインデックス酸性赤色１３８号等が挙げられるが、これらに限定されるものではない。本発明の組成物中の（ｎ）成分の含有量は、０．００００１〜０．０１質量％が好ましい。
【００７９】
本発明の繊維製品処理剤組成物は好ましくは水を含有する。通常、水は、組成物の残部である。
【００８０】
［処理方法及び繊維製品］
本発明の繊維製品処理剤組成物は、水や有機溶剤等を媒体として繊維製品に接触させる方法で処理することが好ましい。本発明の繊維製品処理剤組成物を繊維製品に接触させる工程としては、一般家庭の洗濯工程の濯ぎの段階で、濯ぎ水に添加して処理する事が好ましい。本発明の（ａ）成分は、繊維製品１ｋｇに対して０．００７ｇ〜０．５ｇとなる量で処理する事が好ましく、より好ましくは０．００８〜０．４ｇであり、更に好ましくは０．０１〜０．３ｇである。一般に（ａ）成分のみを単独で処理した繊維製品よりも、（ａ）成分を（ｂ）成分及び／又は（ｃ）成分と共存させた組成物で処理した繊維製品の方が、再び水と接触した時の香りが強く感じられる点で好ましい。また、本発明の繊維製品処理剤組成物をポリエステル、ナイロン、アクリル等の化学繊維に適用する場合には、木綿繊維よりも本発明の効果が弱く感じられるため、効果を増強する目的から（ｄ）成分を併用することが好適である。
【００８１】
これら以外の方法としては、本発明の繊維製品処理剤組成物を繊維製品に直接噴霧する方法、ローラー等で塗布する方法等が挙げられる。
【００８２】
［使用方法］
本発明の繊維製品処理剤組成物で処理した繊維製品の使用方法としては、例えば、洗顔後、手洗い後、又は入浴後の身体に付着した水を拭き取る行為により、本発明の繊維製品処理剤組成物で処理した繊維製品（例えば、タオル、ハンカチ類）と水とを接触させることで、本発明の効果を発現しうる。また、運動時に着用する衣料を予め、本発明の繊維製品処理剤組成物で処理しておく事で、運動時又は運動後の発汗で生成した汗と衣料が接触することでも効果を発現しうる。また、カーテン、マット、カーペット等の住居用繊維製品に、本発明の繊維製品処理剤組成物を予めスプレー等で噴霧しておき、香りを楽しみたい時に、処理した繊維製品に水を霧状に噴霧することで、香りを部屋中に漂わせる使用方法が挙げられる。直接芳香製品を噴霧した場合には、噴霧した芳香製品を吸い込むことによるムセ感や、噴霧した芳香製品が直接皮膚に付着することによるべたつき感を感じる場合があるが、予め本発明の繊維製品処理剤組成物を噴霧しておけば、多くの人が同じ居住空間に存在する場合や、ソファーに座ってリラックスした状態、またはカーペットの上に寝そべった状態で、発香させるために水を噴霧しても、水であれば、吸い込む事によるムセ感を感じることもなければ、直接皮膚に付着した場合でもべたつき感などの不快感を感じることなしに、香りが部屋中に漂う効果を発現しうる。
【００８３】
本発明の繊維製品処理剤組成物を例えば、雑巾や水着などに処理しても、使用時に雑巾をバケツに入った多量の水に浸漬した場合や、水泳時など繊維製品に対して多量の水が接触した場合には本発明の効果は発現し難いので、本発明の繊維製品処理剤組成物で処理した繊維製品に接触させる水の量としては、繊維製品に対して０．０１〜２００質量％が好ましく、０．１〜１００質量％がより好ましい。
【実施例】
【００８４】
実施例及び比較例で用いた各成分を以下にまとめて示す。
【００８５】
＜（ａ）成分＞
（ａ−１） ：下記合成例１で得たケイ素化合物群
（ａ−２） ：下記合成例２で得たケイ素化合物群
（ａ−３） ：下記合成例３で得たケイ素化合物群
（ａ−４） ：下記合成例４で得たケイ素化合物群
（ａ−５） ：下記合成例５で得たケイ素化合物群
（ａ−６） ：下記合成例６で得たケイ素化合物群
（ａ−７） ：下記合成例７で得たケイ素化合物群
（ａ−８） ：下記合成例８で得たケイ素化合物群
（ａ−９） ：下記合成例９で得たケイ素化合物群
（ａ−１０）：下記合成例１０で得たケイ素化合物群
（ａ−１１）：下記合成例１４で得たケイ素化合物群
＜（ａ’）成分（（ａ）成分の比較品）＞
（ａ’−１）：下記比較合成例１で得たケイ素化合物群
（ａ’−２）：下記比較合成例２で得たケイ素化合物群
（ａ’−３）：下記比較合成例３で得たケイ素化合物群
（ａ’−４）：シス−３−ヘキセノール
（ａ’−５）：２−フェニルエタノール
（ａ’−６）：３，７−ジメチル−トランス−２，６−オクタジエン−１−オール
（ａ’−７）： ２−メチル−４−（２，２，３−トリメチル−３−シクロペンテン−１
−イル）−２−ブテン−１−オール
＜（ｂ）成分＞
（ｂ−１）：ラウリルアルコールのポリオキシエチレン３モル付加物
（ｂ−２）：ラウリルアルコールのポリオキシエチレン４０モル付加物
（ｂ−３）：ラウリルアルコールのポリオキシエチレ１５０モル付加物
（ｂ−４）：イソトリデシルアルコールのポリオキシエチレン４０モル付加物
（ｂ−５）： 炭素数９〜１１（炭素数9/10/11=2/4/3（質量比））のアルコールのポリオキシエチレン９モル付加物
＜（ｂ’）成分（（ｂ）成分の比較品）＞
（ｂ’−１）：ラウリルアルコールのポリオキシエチレン３００モル付加物
＜（ｃ）成分＞
（ｃ−１）：下記合成例１１で得た第３級アミン
（ｃ−２）：下記合成例１２で得た第４級アンモニウム塩
（ｃ−３）：下記合成例１３で得た第３級アミン
＜（ｄ）成分＞
（ｄ−１）：ステアリン酸とパルミチン酸の混合物（ステアリン酸／パルミチン酸＝６／４のモル比）
（ｄ−２）：オレイン酸
（ｄ−３）：ステアリン酸メチルエステル
（ｄ−４）：ラウリン酸ナトリウム
＜（ｄ’）成分（（ｄ）成分の比較品）＞
（ｄ’−１）：オクタン酸ナトリウム
＜その他の成分＞
（ｅ−１）：炭素数２４のゲルベアルコール（ラウリルアルコールからゲルベ反応によって得られるアルコール）の硫酸エステルナトリウム塩
（ｈ−１）：エチレンジアミン四酢酸四ナトリウム塩
（ｊ−１）：塩化カルシウム
（ｌ−１）：２，６−ジーｔｅｒｔ−ブチル−４−メチルフェノール
（ｍ−１）：１，２−ベンゾイソチアゾリン−３−オン
（ｎ−１）：カラーインデックス酸性赤色５２号
（ｎ−２）：カラーインデックス酸性黄色３号
【００８６】
合成例１：ケイ素化合物群（ａ−１）の合成
２００ｍＬの四つ口フラスコにテトラエトキシシラン３５．４５ｇ（０．１３ｍｏｌ）、シス−３−ヘキセノール６４．７４ｇ（０．６５ｍｏｌ）、２．８％ナトリウムメトキシドメタノール溶液１．３４ｍＬを入れ、窒素気流下エタノールを留出させながら１１８℃〜１２０℃で約２時間攪拌した。２時間後、槽内の圧力を徐々に８ｋＰａまで下げ、エタノールを留出させながらさらに３時間攪拌した。３時間後、冷却、減圧を解除した後、濾過を行い、ケイ素化合物群（ａ−１）を得た。得られたケイ素化合物群の全置換基中のシス−３−ヘキセニル基の割合を、1Ｈ−ＮＭＲ測定により分析した。結果を表１に示す。
【００８７】
合成例２：ケイ素化合物群（ａ−２）の合成
２００ｍＬの四つ口フラスコにテトラエトキシシラン４１．６８ｇ（０．２０ｍｏｌ）、２−フェニルエタノール８７．９８ｇ（０．７２ｍｏｌ）、２．８％ナトリウムメトキシドメタノール溶液１．８５ｍＬを入れ、窒素気流下エタノールを留出させながら１１２℃〜１１８℃で約２時間攪拌した。２時間後、槽内の圧力を徐々に８ｋＰａまで下げ、エタノールを留出させながらさらに３時間攪拌した。３時間後、冷却、減圧を解除した後、濾過を行い、ケイ素化合物群（ａ−２）を得た。得られたケイ素化合物群の全置換基中の２−フェニルエトキシ基の割合を、1Ｈ−ＮＭＲ測定により分析した。結果を表１に示す。
【００８８】
合成例３：ケイ素化合物群（ａ−３）の合成
２−フェニルエタノールの仕込み量を７３．４ｇ（０．６ｍｏｌ）にした以外は合成例２と同様に合成し、ケイ素化合物群（ａ−３）を得た。得られたケイ素化合物群の全置換基中の２−フェニルエトキシ基の割合を、1Ｈ−ＮＭＲ測定により分析した。結果を表１に示す。
【００８９】
合成例４：ケイ素化合物群（ａ−４）の合成
２−フェニルエタノールの仕込み量を６１．０ｇ（０．５０ｍｏｌ）にした以外は合成例２と同様に合成し、ケイ素化合物群（ａ−４）を得た。得られたケイ素化合物群の全置換基中の２−フェニルエトキシ基の割合を、1Ｈ−ＮＭＲ測定により分析した。結果を表１に示す。
【００９０】
合成例５：ケイ素化合物群（ａ−５）の合成
２−フェニルエタノールの仕込み量を４８．９ｇ（０．４０ｍｏｌ）にした以外は合成例２と同様に合成し、ケイ素化合物群（ａ−５）を得た。得られたケイ素化合物群の全置換基中の２−フェニルエトキシ基の割合を、1Ｈ−ＮＭＲ測定により分析した。結果を表１に示す。
【００９１】
比較合成例１：ケイ素化合物群（ａ’−１）の合成
２−フェニルエタノールの仕込み量を２４．４ｇ（０．２ｍｏｌ）にした以外は合成例２と同様に合成し、ケイ素化合物群（ａ’−１）を得た。得られたケイ素化合物群の全置換基中の２−フェニルエトキシ基の割合を、1Ｈ−ＮＭＲ測定により分析した。結果を表１に示す。
【００９２】
合成例６：ケイ素化合物群（ａ−６）の合成
２００ｍＬの四つ口フラスコにテトラエトキシシラン２７．０８ｇ（０．１３ｍｏｌ）、３，７−ジメチル−トランス−２，６−オクタジエン−１−オール７２．５ｇ（０．４７ｍｏｌ）、２．８％ナトリウムメトキシドメタノール溶液０．４８５ｍＬを入れ、窒素気流下エタノールを留出させながら１１０〜１２０℃で２時間攪拌した。２時間後、槽内の圧力を徐々に８ｋＰａまで下げ、エタノールを留出させながら１１７〜１２０℃でさらに４時間攪拌した。４時間後、冷却、減圧を解除した後、濾過を行いケイ素化合物群（ａ−６）を得た。得られたケイ素化合物群の全置換基中の３，７−ジメチル−トランス−２，６−オクタジエン−１−イルオキシ基の割合を、1Ｈ−ＮＭＲ測定により分析した。結果を表１に示す。
【００９３】
合成例７：ケイ素化合物群（ａ−７）の合成
３，７−ジメチル−トランス−２，６−オクタジエン−１−オールの仕込み量を６０．２ｇ（０．３９ｍｏｌ）にした以外は合成例６と同様に合成し、ケイ素化合物群（ａ−７）を得た。得られたケイ素化合物群の全置換基中の３，７−ジメチル−トランス−２，６−オクタジエン−１−イルオキシ基の割合を、1Ｈ−ＮＭＲ測定により分析した。結果を表１に示す。
【００９４】
合成例８：ケイ素化合物群（ａ−８）の合成
３，７−ジメチル−トランス−２，６−オクタジエン−１−オールの仕込み量を４０．１ｇ（０．２６ｍｏｌ）にした以外は合成例６と同様に合成し、ケイ素化合物群（ａ−８）を得た。得られたケイ素化合物群の全置換基中の３，７−ジメチル−トランス−２，６−オクタジエン−１−イルオキシ基の割合を、1Ｈ−ＮＭＲ測定により分析した。結果を表１に示す。
【００９５】
合成例９：ケイ素化合物群（ａ−９）の合成
１００ｍＬの四つ口フラスコにテトラエトキシシラン１８．７８ｇ（０．０９ｍｏｌ）、２−メチル−４−(２，２，３−トリメチル−３−シクロペンテン−１−イル)−２−ブテン−１−オール ６３．０ｇ（０．３２４ｍｏｌ）、２．８％ナトリウムメトキシドメタノール溶液０．６３５ｍＬを入れ、窒素気流下エタノールを留出させながら１０９〜１１０℃で２時間攪拌した。２時間後、槽内の圧力を徐々に８ｋＰａまで下げ、エタノールを留出させながら１１７〜１２０℃でさらに３時間攪拌した。３時間後、冷却、減圧を解除した後、濾過を行いケイ素化合物群（ａ−９）を得た。得られたケイ素化合物群の全置換基中の２−メチル−４−(２，２，３−トリメチル−３−シクロペンテン−１−イル)−２−ブテン−１−オキシ基の割合を、1Ｈ−ＮＭＲ測定により分析した。結果を表１に示す。
【００９６】
比較合成例２：ケイ素化合物群（ａ’−２）の合成
２−メチル−４−(２，２，３−トリメチル−３−シクロペンテン−１−イル)−２−ブテン−１−オールの仕込み量を１７．４９ｇ（０．０９ｍｏｌ）にした以外は合成例９と同様に合成し、ケイ素化合物群（ａ’−２）を得た。得られたケイ素化合物群の全置換基中の２−メチル−４−(２，２，３−トリメチル−３−シクロペンテン−１−イル)−２−ブテン−１−オキシ基の割合を、1Ｈ−ＮＭＲ測定により分析した。結果を表１に示す。
【００９７】
合成例１０：ケイ素化合物群（ａ−１０）の合成
２００ｍＬの四つ口フラスコにメチルトリエトキシシラン２７．２４ｇ（０．２０ｍｏｌ）、２−フェニルエタノール４８．９ｇ（０．４０ｍｏｌ）、２．８％ナトリウムメトキシドメタノール溶液０．９５８ｍＬを入れ、窒素気流下エタノールを留出させながら１１５℃で２時間攪拌した。２時間後、槽内の圧力を徐々に８ｋＰａまで下げ、エタノールを留出させながら１１８〜１２１℃でさらに３時間攪拌した。３時間後、冷却、減圧を解除した後、濾過を行いケイ素化合物群（ａ−１０）を得た。得られたケイ素化合物群の全置換基中の２−フェニルエトキシ基の割合を、1Ｈ−ＮＭＲ測定により分析した。結果を表１に示す。
【００９８】
比較合成例３：ケイ素化合物群（ａ’−３）の合成
２−フェニルエタノールの仕込み量を２４．４３ｇ（０．２０ｍｏｌ）にした以外は合成例１０と同様に合成し、ケイ素化合物群（ａ’−３）を得た。得られたケイ素化合物群の全置換基中の２−フェニルエトキシ基の割合を、1Ｈ−ＮＭＲ測定により分析した。結果を表１に示す。
【００９９】
合成例１４：ケイ素化合物群（ａ−１１）の合成
３，７−ジメチル−トランス−２，６−オクタジエン−１−オールと２−メチル−４−（２，２，３−トリメチル−３−シクロペンテン−１−イル）−２−ブテン−１−オール（３：１）の混合ケイ素化合物を含むケイ素化合物群の合成
２００ｍＬの四つ口フラスコにテトラエトキシシラン３７．５１ｇ（０．１８ｍｏｌ）、３，７−ジメチル−トランス−２，６−オクタジエン−１−オール７５．０ｇ（０．４９ｍｏｌ）、２−メチル−４−（２，２，３−トリメチル−３−シクロペンテン−１−イル）−２−ブテン−１−オール３１．５ｇ（０．１６ｍｏｌ）、２．８％ナトリウムメトキシドメタノール溶液０．６７１ｍＬを入れ、窒素気流下エタノールを留出させながら１０９〜１２０℃で約２時間攪拌した。２時間後、槽内の圧力を徐々に８ｋＰａまで下げ、エタノールを留出させながら約１２０℃でさらに４時間攪拌した。４時間後、冷却、減圧を解除した後、濾過を行い、３，７−ジメチル−トランス−２，６−オクタジエン−１−オールと２−メチル−４−（２，２，３−トリメチル−３−シクロペンテン−１−イル）−２−ブテン−１−オールのモル比３：１の混合ケイ素化合物を含むケイ素化合物群（ａ−１１）を得た。得られたケイ素化合物群の全置換基中の香料アルコール由来の置換基の割合を、１Ｈ−ＮＭＲで分析した。結果を表１に示す。
【０１００】
【表１】
2010133073.tif 000007
【０１０１】
合成例１１：化合物（ｃ−１）の合成
ステアリン酸とパルミチン酸を６／４のモル比で混合した脂肪酸とＮ−（３−アミノプロピル）−Ｎ−（２−ヒドロキシエチル）−Ｎ−メチルアミンとを１．８／１のモル比で混合し、定法に従って脱水縮合を行った。酸価が９になった時点で反応を止め、縮合物を得た。酸価から求めたアミン化合物の脂肪酸含有量は４．４質量％であり、残り９５．６質量％が（ｃ）成分である。
【０１０２】
合成例１２：化合物（ｃ−２）の合成
ステアリン酸とパルミチン酸を質量比で６／４で混合した脂肪酸とＮ−メチルジエタノールアミンとを１．９／１のモル比で混合し、定法に従って脱水縮合反応を行った。酸価が５になった時点で反応を止め、縮合物を得た。この縮合物に対し１５質量％のエタノールを加え、加熱溶解させ、メチルクロリドで定法により４級化反応を行った。エタノールを除く化合物中の脂肪酸含有量を液体クロマトグラフィーで求めた結果、その含有量は２．０質量％であり、残部の９８質量％が（ｃ）成分である。
【０１０３】
合成例１３：化合物（ｃ−３）の合成
ステアリン酸と３−アミノプロピル−Ｎ，Ｎ−ジメチルアミンとを１／１のモル比で混合し、定法に従って脱水縮合反応を行った。酸価が１．５になった時点で反応を止めた。
【０１０４】
実施例１〜１２及び比較例１〜６
表２に示す成分を用い、以下に示す方法で表２に示す組成の繊維製品処理剤組成物を調製した。得られた繊維製品処理剤組成物を、下記処理方法１で繊維製品に処理し、下記方法（香りの評価方法１）で香りの評価を行った。結果を表２に示す。
【０１０５】
＜繊維製品処理剤組成物の調製方法＞
３００ｍＬビーカーに、繊維製品処理剤組成物の出来あがり質量が２００ｇになるのに必要な量の９５％相当量のイオン交換水を入れ、ウォーターバスで６５℃〜７０℃に昇温した。一つの羽根の長さが２ｃｍの攪拌羽根が３枚ついたタービン型の攪拌羽根で攪拌した（３００ｒ／min）。次に（ｂ）成分を配合する場合には、予め加熱溶融させた（ｂ）成分を添加した。次に（ｃ）成分を使用する場合には、加熱溶融させた（ｃ）成分を添加した。必要に応じて（ｄ）成分を使用する場合には、（ｃ）成分を配合する場合には、（ｃ）成分と（ｄ）成分を予め混合し加熱溶融させて添加した。（ｃ）成分を添加しない場合には（ａ）成分と予備混合し７５℃に加熱し融解させて添加した（但し、（ｄ）成分が脂肪酸の塩である場合には、（ａ）成分を添加する直前に添加し分散させた。）。必要に応じて（ｅ）成分を添加する場合には、（ｃ）成分を添加する直前に添加した。続いて組成物のｐＨを所定のｐＨにするのに必要な０．１Ｎ塩酸、或いは０．１Ｎ水酸化ナトリウム水溶液を添加した。続いて必要に応じて塩化カルシウム（ｊ−１）の１０質量％水溶液を添加した。１０分攪拌後、攪拌しながら５℃のウォーターバスで２０℃まで冷却した。５分攪拌後にｐＨを再度調整した後、出来あがり質量にするのに必要な量の２０℃のイオン交換水を添加して繊維製品処理剤組成物を得た。
【０１０６】
＜繊維製品処理剤組成物による処理方法１＞
（１）前処理した木綿タオルの調製方法
あらかじめ、市販の弱アルカリ性洗剤（花王（株）製 アタック）を用いて、木綿タオル（木綿１００％、約３４ｃｍ×８６ｃｍ、約６８ｇ／１枚当たり）２４枚を日立全自動洗濯機NW-6CYで５回洗浄を繰り返し、室内乾燥することによって、過分の薬剤を除去した（洗剤濃度０．０６６７質量％、水道水４７Ｌ使用、水温２０℃、洗浄１０分、ため濯ぎ２回）。
【０１０７】
（２） 木綿タオルへの組成物の処理
Ｎａｔｉｏｎａｌ製電気バケツ（Ｎ−ＢＫ２）に、５リットルの水道水を投入し、繊維製品処理剤組成物を１０ｇ／繊維１ｋｇとなるように投入し、前記の木綿タオル２枚を投入し５分間処理した。処理後、日立製２槽式洗濯機（型番：ＰＳ−Ｈ３５Ｌ）の脱水槽で３分間脱水した。脱水した木綿タオルを２５℃、４０％ＲＨで１２時間乾燥させた。
【０１０８】
＜香りの評価方法１＞
上記方法で処理した木綿タオルのパイル地の部分を１５ｃｍ×１５ｃｍの正方形状に切り取った。マルエム製スプレーバイアル（Ｎｏ．６）を用いて、前記木綿タオルの質量に対して７質量％に相当するイオン交換水を、均一に噴霧付着させた。水を噴霧する前の木綿タオルの香りの強さと、水を噴霧して１分後の香りの強さを同じパネラーが下記基準で評価した。１０人のパネラー（２０代女性５人、２０代男性５人の計１０人）の平均点を求めた。また、パネラー毎に新しい評価布を使用した。平均点が１．０以上あれば、本発明の効果を認識できる性能である。
【０１０９】
評価基準：
−１…乾燥時よりも、湿潤時の方が香りが弱く感じられた。
０…乾燥時と湿潤時の香りの強さは同程度であった。
１…乾燥時よりも、湿潤時の方が香りが僅かに強く感じられた。
２…乾燥時よりも、湿潤時の方が香りがやや強く感じられた。
３…乾燥時よりも、湿潤時の方が香りがあきらかに強く感じられた。
【０１１０】
【表２】
2010133073.tif 000008
【０１１１】
実施例１３〜２５及び比較例７〜１０
表３に示す成分を用い、表３に示す組成の繊維製品処理剤組成物を、実施例１と同様に調製した。得られた繊維製品処理剤組成物を、実施例１と同様の処理方法１及び下記処理方法２で木綿タオルに処理し、実施例１で用いた方法（香りの評価方法１）で香りの評価を行った。結果を表３に示す。
【０１１２】
＜繊維製品処理剤組成物による処理方法２＞
（１）前処理した木綿タオルの調製方法
あらかじめ、市販の弱アルカリ性洗剤（花王（株）製 アタック）を用いて、木綿タオル（木綿１００％、約３４ｃｍ×８６ｃｍ、約６８ｇ／１枚当たり）２４枚を日立全自動洗濯機NW-6CYで５回洗浄を繰り返し、室内乾燥（２５℃、４０％ＲＨで１２時間乾燥）することによって、過分の薬剤を除去した（洗剤濃度０．０６６７質量％、水道水４７Ｌ使用、水温２０℃、洗浄１０分、ため濯ぎ２回）。
【０１１３】
（２） 木綿タオルへの組成物の処理
Ｎａｔｉｏｎａｌ製電気バケツ（Ｎ−ＢＫ２）に、ドデシルベンゼンスルホン酸ナトリウムを１０ｍｇ／ｋｇの濃度で含む、５リットルの水道水を投入し、繊維製品処理剤組成物を１０ｇ／繊維１ｋｇとなるように投入し、前記の木綿タオル２枚を投入し５分間処理した。処理後、日立製２槽式洗濯機（型番：ＰＳ−Ｈ３５Ｌ）の脱水槽で３分間脱水した。脱水した木綿タオルを２５℃、４０％ＲＨで１２時間乾燥させた。
【０１１４】
【表３】
2010133073.tif 000009
【０１１５】
実施例２６〜３４及び比較例１１〜１３
表４に示す成分を用い、表４に示す組成の繊維製品処理剤組成物を、実施例１と同様に調製した。得られた繊維製品処理剤組成物を、実施例１と同様の処理方法１で木綿タオルに処理し、下記方法（香りの評価方法２）で香りの評価を行った。結果を表４に示す。
【０１１６】
＜香りの評価方法２＞
実施例１と同じ方法で処理した木綿タオルのパイル地の部分を１５ｃｍ×１５ｃｍの正方形状に切り取った。マルエム製スプレーバイアル（Ｎｏ．６）を用いて、前記木綿タオルの質量に対して７質量％に相当するイオン交換水を、均一に噴霧付着させ、２０℃、４０％ＲＨで１２時間乾燥させた。これら水の噴霧、及び乾燥を１サイクルとして６サイクル行った。７サイクル目において、水を噴霧する前の木綿タオルの香りの強さと、水を噴霧して１分後の香りの強さを同じパネラーが下記基準で評価した。１０人のパネラー（２０代女性５人、２０代男性５人の計１０人）の平均点を求めた。また、パネラー毎に新しい評価布を使用した。平均点が１．０以上あれば、本発明の効果を認識できる性能であるが、平均点が１．５以上が好ましい。
【０１１７】
評価基準：
−１…乾燥時よりも、湿潤時の方が香りが弱く感じられた。
０…乾燥時と湿潤時の香りの強さは同程度であった。
１…乾燥時よりも、湿潤時の方が香りが僅かに強く感じられた。
２…乾燥時よりも、湿潤時の方が香りがやや強く感じられた。
３…乾燥時よりも、湿潤時の方が香りがあきらかに強く感じられた。
【０１１８】
【表４】
2010133073.tif 000010
【０１１９】
実施例３５〜４６及び比較例１４〜１６
表５に示す成分を用い、表５に示す組成の繊維製品処理剤組成物を、実施例１と同様に調製した。得られた繊維製品処理剤組成物を下記処理方法３でポリエステルジャージに処理し、実施例１の香りの評価方法１において、木綿タオルの代わりにポリエステルジャージを用いて香りの評価を行った。結果を表５に示す。
【０１２０】
＜繊維製品処理剤組成物による処理方法３＞
（１）前処理したポリエステルジャージの調製方法
あらかじめ、市販の弱アルカリ性洗剤（花王（株）製 アタック）を用いて、ポリエステルジャージ（染色試材株式会社谷頭商店、ポリエステル１００％）１．６ｋｇを日立全自動洗濯機NW-6CYで５回洗浄を繰り返し、室内乾燥することによって、過分の薬剤を除去した（洗剤濃度０．０６６７質量％、水道水４７Ｌ使用、水温２０℃、洗浄１０分、ため濯ぎ２回）。
【０１２１】
（２） ポリエステルジャージへの組成物の処理
Ｎａｔｉｏｎａｌ製電気バケツ（Ｎ−ＢＫ２）に、５リットルの水道水を投入し、繊維製品処理剤組成物を１０ｇ／繊維１ｋｇとなるように投入し、前記のポリエステルジャージ（３０ｃｍ×３０ｃｍの正方形に裁断した物を約１７０ｇ）を投入し５分間処理した。処理後、日立製２槽式洗濯機（型番：ＰＳ−Ｈ３５Ｌ）の脱水槽で３分間脱水した。脱水したポリエステルジャージを２５℃、４０％ＲＨで１２時間乾燥させた。
【０１２２】
【表５】
2010133073.tif 000011
【０１２３】
実施例４７〜５２、比較例１７
表６に示す成分を用い、表６に示す組成の繊維製品処理剤組成物を、実施例１と同様に調製した。得られた繊維製品処理剤組成物を、実施例１と同様の処理方法１で木綿タオルに処理し、実施例１と同様な香りの評価方法（香りの評価方法１）で香りの評価を行った。但し、マルエム製スプレーバイアル（Ｎｏ．６）で噴霧する水の量を表６記載の様に変化させた。結果を表６に示す。平均点が１．０以上あれば、本発明の効果を認識できる性能である。
【０１２４】
【表６】
2010133073.tif 000012
【０１２５】
実施例５３、５４及び比較例１８、１９
表７に示す成分を用い、以下に示す方法で表７に示す組成の繊維製品処理剤組成物を調製した。得られた繊維製品処理剤組成物を、前記処理方法１で繊維製品に処理し、下記方法（香りの評価方法３）で香りの評価３を行った（実施例５３及び比較例１８）。また、下記処理方法４で繊維製品に処理し、下記方法（香りの評価方法４）で香りの評価４を行った（実施例５４及び比較例１９）。それぞれの結果を表７に示す。
【０１２６】
＜繊維製品処理剤組成物の調製方法＞
３００ｍＬビーカーに、繊維製品処理剤組成物の出来あがり質量が２００ｇになるのに必要な量の９５％相当量のイオン交換水を入れ、ウォーターバスで６５℃〜７０℃に昇温した。一つの羽根の長さが２ｃｍの攪拌羽根が３枚ついたタービン型の攪拌羽根で攪拌した（３００ｒ／min）。次に、予め加熱溶融させた、（ｂ）成分、（ｃ）成分及び（ａ）成分をこの順序でそれぞれ添加した。続いて組成物のｐＨを所定のｐＨにするのに必要な０．１Ｎ塩酸、或いは０．１Ｎ水酸化ナトリウム水溶液を添加した。続いて必要に応じて塩化カルシウム（ｊ−１）の１０質量％水溶液を添加した。続いて（ｈ）成分及び（ｌ）〜（ｎ）成分を逐次添加した。１０分攪拌後、攪拌しながら５℃のウォーターバスで２０℃まで冷却した。５分攪拌後にｐＨを再度調整した後、出来あがり質量にするのに必要な量の２０℃のイオン交換水を添加して繊維製品処理剤組成物を得た。
【０１２７】
＜香りの評価方法３＞
実施例１と同じ方法で処理した木綿タオルの乾燥時の香り強度（使用前）を評価した後、普段どおり水道水で顔を洗浄した後、濡れたままの顔を、処理した木綿タオル１枚で拭き、湿潤時の香り強度（使用後）を下記基準で評価した。２０代男性パネラー５人の平均値を求めた。またパネラー毎に新しい評価布を使用した。木綿タオルに含水した水の質量は、木綿タオルの質量（顔を拭く前）に対して平均２３質量％であった。平均点が１．０以上であれば、本発明の効果を認識できる性能であるが、平均点が１．５以上が好ましい。
【０１２８】
評価基準：
−１…乾燥時よりも、湿潤時の方が香りが弱く感じられた。
０…乾燥時と湿潤時の香りの強さは同程度であった。
１…乾燥時よりも、湿潤時の方が香りが僅かに強く感じられた。
２…乾燥時よりも、湿潤時の方が香りがやや強く感じられた。
３…乾燥時よりも、湿潤時の方が香りがあきらかに強く感じられた。
【０１２９】
＜繊維製品処理剤組成物による処理方法４＞
（１）前処理した木綿肌着の調製方法
あらかじめ、市販の弱アルカリ性洗剤（花王（株）製 アタック）を用いて、木綿肌着（グンゼＹＧ  Ｌ寸、丸首：綿１００％）１７枚を日立全自動洗濯機NW-6CYで５回洗浄を繰り返し、室内乾燥することによって、過分の薬剤を除去した（洗剤濃度０．０６６７質量％、水道水４７Ｌ使用、水温２０℃、洗浄１０分、ため濯ぎ２回）。
（２） 木綿肌着への組成物の処理
Ｎａｔｉｏｎａｌ製電気バケツ（Ｎ−ＢＫ２）に、５リットルの水道水を投入し、繊維製品処理剤組成物を１０ｇ／繊維１ｋｇとなるように投入し、前記の木綿肌着２枚を投入し５分間処理した。処理後、日立製２槽式洗濯機（型番：ＰＳ−Ｈ３５Ｌ）の脱水槽で３分間脱水した。脱水した木綿肌着を２５℃、４０％ＲＨで１２時間乾燥させた。この操作を繰り返し、下記香りの評価方法４で使用する木綿肌着の必要数を作製した。
【０１３０】
＜香りの評価方法４＞
上述の処理方法４で処理し、１日吊干しした木綿肌着を着用したときの乾燥時の香り強度を評価した。その後、汗をかくスポーツ（サッカー）を３０分行った後、湿潤時の香り強度（使用後）を下記基準で評価した。使用前後の木綿肌着の重さを測定し、木綿肌着の着用前の質量に対して汗を平均で６５質量％含んでいた。湿潤時の香り強度について２０代男性パネラー５人の平均値を求めた。平均点が１．０以上であれば、本発明の効果を認識できる性能であるが、平均点が１．５以上が好ましい。
【０１３１】
評価基準：
−１…乾燥時よりも、湿潤時の方が香りが弱く感じられた。
０…乾燥時と湿潤時の香りの強さは同程度であった。
１…乾燥時よりも、湿潤時の方が香りが僅かに強く感じられた。
２…乾燥時よりも、湿潤時の方が香りがやや強く感じられた。
３…乾燥時よりも、湿潤時の方が香りがあきらかに強く感じられた。
【０１３２】
【表７】
2010133073.tif 000013